(57)【要約】【課題】産業保健に関する労働者の情報の取り扱いに適した産業保健管理システムを提供する。【解決手段】産業医による労働者の健康管理業務を支援する産業保健管理システム１０であって、入力された労働者の入力情報１１を情報項目コード１２に紐づける紐づけ手段１３と、情報項目コード１２に紐づけられた入力情報１１を情報項目コード１２と共に記憶する記憶手段１４とを備え、情報項目コード１２は、入力情報１１を入力情報１１の種類ごとに分類する分類コード１８、及び、分類コード１８で分類される入力情報１１を入力情報１１の種類に応じて細分類する項目付加コード１９を有し、分類コード１８として、労働者の個人属性情報、労働者の業務歴、労働者の就業状況、労働者に対し行った問診、及び、労働者を検査した検査値をそれぞれ分類する個別のコードが定められている。【選択図】図１
2018041305.tif 000002
【特許請求の範囲】
【請求項１】
産業医による労働者の健康管理業務を支援する産業保健管理システムであって、
入力された前記労働者の入力情報を情報項目コードに紐づける紐づけ手段と、
前記情報項目コードに紐づけられた前記入力情報を該情報項目コードと共に記憶する記憶手段とを備え、
前記情報項目コードは、前記入力情報を該入力情報の種類ごとに分類する分類コード、及び、前記分類コードで分類される前記入力情報を該入力情報の種類に応じて細分類する項目付加コードを有し、
前記分類コードとして、前記労働者の個人属性情報、該労働者の業務歴、該労働者の就業状況、該労働者に対し行った問診、及び、該労働者を検査した検査値をそれぞれ分類する個別のコードが定められていることを特徴とする産業保健管理システム。
【請求項２】
請求項１記載の産業保健管理システムにおいて、前記情報項目コードは、前記入力情報の文字タイプ、前記検査値を示す前記入力情報の前記労働者の検査方法、又は、該検査値を示す該入力情報の単位を定めることができるデータ付加コードを更に有することを特徴とする産業保健管理システム。
【発明の詳細な説明】
【技術分野】
【０００１】
本発明は、産業保健に関する労働者の情報を取り扱う産業保健管理システムに関する。
【背景技術】
【０００２】
臨床分野で検体検査情報を取り扱うコードであるＪＬＡＣ１０（特許文献１参照）は、検体検査情報以外の情報（具体的には、胸部Ｘ線所見、心電図所見等）を追加することで、「特定健康診査、保健指導」制度に適用され、産業保健に関する労働者の情報の取り扱いにも利用できないか検討されていた。
【先行技術文献】
【特許文献】
【０００３】
【特許文献１】特開２０１６−１５１９０３号公報
【発明の概要】
【発明が解決しようとする課題】
【０００４】
しかしながら、ＪＬＡＣ１０は、本来、産業保健の情報を処理するためのものではなく、例えば、所見情報はすべて１項目のコードとして取り扱われており、専門家への情報の伝達やデータ分析には不向きであった。また、産業保健分野では、項目別に労働者の傾向を分析することが求められるところ、ＪＬＡＣ１０は、産業保健の情報を表現するために最適なコード体系を有さず、データを文字情報で表記することから、ＪＬＡＣ１０を取り扱うシステムは、産業保健に関する労働者の情報の取り扱いには向かないという問題があった。
本発明は、かかる事情に鑑みてなされたもので、産業保健に関する労働者の情報の取り扱いに適した産業保健管理システムを提供することを目的とする。
【課題を解決するための手段】
【０００５】
前記目的に沿う本発明に係る産業保健管理システムは、産業医による労働者の健康管理業務を支援する産業保健管理システムであって、入力された前記労働者の入力情報を情報項目コードに紐づける紐づけ手段と、前記情報項目コードに紐づけられた前記入力情報を該情報項目コードと共に記憶する記憶手段とを備え、前記情報項目コードは、前記入力情報を該入力情報の種類ごとに分類する分類コード、及び、前記分類コードで分類される前記入力情報を該入力情報の種類に応じて細分類する項目付加コードを有し、前記分類コードとして、前記労働者の個人属性情報、該労働者の業務歴（特に法令上での有害業務）、該労働者の就業状況、該労働者に対し行った問診、及び、該労働者を検査した検査値をそれぞれ分類する個別のコードが定められている。
【０００６】
本発明に係る産業保健管理システムにおいて、前記情報項目コードは、前記入力情報の文字タイプ、前記検査値を示す前記入力情報の前記労働者の検査方法、又は、該検査値を示す該入力情報の単位を定めることができるデータ付加コードを更に有するのが好ましい。
【発明の効果】
【０００７】
本発明に係る産業保健管理システムは、情報項目コードが、入力情報を入力情報の種類ごとに分類する分類コード、及び、分類コードで分類される入力情報を入力情報の種類に応じて細分類する項目付加コードを有し、分類コードとして、労働者の個人属性情報、労働者の業務歴、労働者の就業状況、労働者に対し行った問診、及び、労働者を検査した検査値をそれぞれ分類する個別のコードが定められているので、産業保健に関する労働者の情報に適用（適応）したコード体系を有しており、産業保健に関する労働者の情報の取り扱いに適している。
【図面の簡単な説明】
【０００８】
【図１】本発明の一実施の形態に係る産業保健管理システムの説明図である。
【図２】同産業保健管理システムが扱う情報項目コードの説明図である。
【図３】同産業保健管理システムが扱う情報項目コードテーブルの説明図である。
【図４】同情報項目コードテーブルの説明図である。
【発明を実施するための形態】
【０００９】
続いて、添付した図面を参照しつつ、本発明を具体化した実施の形態につき説明し、本発明の理解に供する。
図１〜図４に示すように、本発明の一実施の形態に係る産業保健管理システム１０は、入力された労働者の入力情報１１ａ、１１ｂ、１１ｃ・・・１１ｎ（以下、「１１ａ、１１ｂ、１１ｃ、１１ｎ」と記載する）を情報項目コード１２ａ、１２ｂ、１２ｃ・・・１２ｎ（以下、「１２ａ、１２ｂ、１２ｃ、１２ｎ」と記載する）に紐づける紐づけ手段１３と、情報項目コード１２ａ、１２ｂ、１２ｃ、１２ｎに紐づけられた入力情報１１ａ、１１ｂ、１１ｃ、１１ｎを情報項目コード１２ａ、１２ｂ、１２ｃ、１２ｎと共に記憶する記憶手段１４とを備えて、産業医による労働者の健康管理業務を支援するシステムである。以下、詳細に説明する。なお、以下、個々の入力情報１１ａ、１１ｂ、１１ｃ、１１ｎを区別することなく共通して示す際には、入力情報１１と記し、個々の情報項目コード１２ａ、１２ｂ、１２ｃ、１２ｎを区別することなく共通して示す際には、情報項目コード１２と記す。
【００１０】
産業保健管理システム１０は、例えば、パーソナルコンピュータであり、プロセッサ、プロセッサが直接アクセス可能な一次記憶装置であるＲＡＭ、データを記憶する記憶デバイス（ハードディスクドライバやフラッシュメモリ等）、入力情報１１を入力するための入力デバイス（キーボードやマウス等）、並びに、ディスプレイ装置を具備している。
記憶手段１４は、主として産業保健管理システム１０の記憶デバイスによって構成され、紐づけ手段１３は、主として産業保健管理システム１０の記憶デバイスにインストールされたソフトウェア及び産業保健管理システム１０のＣＰＵによって構成されている。
【００１１】
入力情報１１は、産業保健管理システム１０の入力デバイスからのデータ入力や、産業保健管理システム１０に接続された各種検査機器あるいはコンピュータから産業保健管理システム１０へのデータ送信によって、産業保健管理システム１０内に取り込まれる。
入力情報１１は、文字、記号及び数字によって、労働者を特定する労働者の個人属性情報、労働者の業務歴、労働者の就業状況、労働者に対し産業医等が行った問診、及び、労働者を検査した検査値等を表した情報である。
【００１２】
産業保健管理システム１０に取り込まれた入力情報１１ａ、１１ｂ、１１ｃ、１１ｎは、図１に示すように、紐づけ手段１３に与えられる。産業保健管理システム１０は、一度の入力処理によって複数の入力情報１１ａ、１１ｂ、１１ｃ、１１ｎを含む入力情報群１６を取り込むことができ、入力情報群１６が一度の入力処理によって入力された場合、入力情報群１６の入力処理が完了した時点で、入力情報群１６に含まれていた入力情報１１ａ、１１ｂ、１１ｃ、１１ｎが紐づけ手段１３に与えられる。
【００１３】
紐づけ手段１３は、入力情報１１に紐づけることが可能な情報項目コード１２を定義した情報項目コードテーブル１５（図３、図４参照）にアクセス可能で、情報項目コードテーブル１５の中から、与えられた入力情報１１に適切な情報項目コード１２をそれぞれ選択して紐づける（対応させる）。本実施の形態では、情報項目コードテーブル１５が記憶手段１４に記憶されている。なお、図１には、入力情報１１ａ、１１ｂ、１１ｃ、１１ｎに情報項目コード１２ａ、１２ｂ、１２ｃ、１２ｎをそれぞれ紐づける例が示されている。
【００１４】
情報項目コード１２及びその情報項目コード１２が紐づけられた入力情報１１からなるデータ片を、図１、図２に示すように、項目コード付き入力情報１７として、項目コード付き入力情報１７は、図１に示すように、紐づけ手段１３から記憶手段１４に与えられ、記憶手段１４は項目コード付き入力情報１７を記憶する。記憶手段１４に記憶された項目コード付き入力情報１７は、産業保健管理システム１０の内外からの要求に応じて、その複製が記憶手段１４から取り出され利用される。
【００１５】
情報項目コード１２は、図２、図３、図４に示すように、５桁のコードからなる分類コード１８、５桁のコードからなる項目付加コード１９及び３桁のコードからなるデータ付加コード２０を有している。
分類コード１８は、図３、図４に示すように、入力情報１１を入力情報１１の種類ごとに分類するためのものであり、分類コード１８として、労働者の個人属性情報、労働者の業務歴、労働者の就業状況、労働者に対し産業医等が行った問診、及び、労働者を検査した検査値にそれぞれ対応した個別のコード等が定められている。
【００１６】
項目付加コード１９は、分類コード１８で分類される入力情報１１を入力情報１１の種類に応じて細分類する（更に分類する）ためのものであり、例えば、労働者の個人属性情報に対応する項目付加コード１９には、労働者の個人属性情報についての入力情報１１が、労働者の漢字氏名、仮名氏名、ひらがな氏名、ローマ字氏名、英字氏名、生年月日、年齢、社員コード（労働者が勤務している企業で労働者に付した識別コード）、雇用保険番号、パスポート番号、マイナンバー、健康保険番号等のいずれに該当するかを定義した個別のコードが定義されている。
【００１７】
そして、労働者の業務歴に対応する項目付加コード１９には、労働者の業務歴についての入力情報１１を、粉塵が存在する環境下で行う仕事等、所定の業務の種類に分類する個別のコードや、所定の業務を行った時間を示す情報に分類する個別のコードがあり、労働者の就業状況に対応する項目付加コード１９には、入力情報１１を労働者の残業時間を示す情報に分類する個別のコードが存在する。
【００１８】
労働者に対し行った問診に対応する項目付加コード１９には、入力情報１１を、コレステロールを低下する薬剤の投薬についての問診結果を示す情報に分類する個別のコードや、飲酒量の問診結果を示す情報に分類する個別のコードがあり、労働者を検査した検査値に対応する項目付加コード１９には、入力情報１１を、左目に対して行った視力検査の結果に分類する個別のコードや、右耳に対して行った聴力検査の結果に分類する個別のコードが存在する。
本実施の形態では、分類コード１８が１桁の大分類コード１８ａ、１桁の中分類コード１８ｂ及び３桁の主項目コード１８ｃから構成され、項目付加コード１９が１桁の主項目コード１９ａ及び４桁の細項目コード１９ｂから構成されているが、これに限定されない。
【００１９】
データ付加コード２０は、入力情報１１の文字タイプ（例えば、１バイトの文字か２バイトの文字かを定義）、労働者を検査した検査値を示す入力情報１１の労働者の検査方法（例えば、労働者の聴力検査を行った検査機器を定義）、又は、同検査値を示す入力情報１１の単位（例えば、身長の検査値がｃｍの値かｍの値かを定義）を定めることができるものである。情報項目コード１２は、入力情報１１応じて、データ付加コード２０を利用するもの又はデータ付加コード２０を利用しないものに分けられる。
【００２０】
紐づけ手段１３から記憶手段１４に与えられる項目コード付き入力情報１７は、その項目コード付き入力情報１７の入力情報１１が含む労働者を特定する情報（例えば、労働者のマイナンバーや健康保険番号）と同じ情報を含んだ入力情報１１を有する項目コード付き入力情報１７が、記憶手段１４に存在しない場合、新しい労働者の情報として記憶手段１４に記録され、該当の項目コード付き入力情報１７が記憶手段１４に存在する場合、該当の項目コード付き入力情報１７を含む労働者の情報に上書きされる。
【００２１】
以上、本発明の実施の形態を説明したが、本発明は、上記した形態に限定されるものでなく、要旨を逸脱しない条件の変更等は全て本発明の適用範囲である。
例えば、産業保健管理システムは専用機によって構成することもできる。
また、分類コードは５桁である必要はなく、項目付加コードは５桁である必要はない。そして、情報項目コードはデータ付加コードを有さなくてもよい。また、情報項目コードがデータ付加コードを有する場合、データ付加コードは３桁である必要はない。
【符号の説明】
【００２２】
１０：産業保健管理システム、１１、１１ａ、１１ｂ、１１ｃ、１１ｎ：入力情報、１２、１２ａ、１２ｂ、１２ｃ、１２ｎ：情報項目コード、１３：紐づけ手段、１４：記憶手段、１５：情報項目コードテーブル、１６：入力情報群、１７：項目コード付き入力情報、１８：分類コード、１８ａ：大分類コード、１８ｂ：中分類コード、１８ｃ：主項目コード、１９：項目付加コード、１９ａ：主項目コード、１９ｂ：細項目コード、２０：データ付加コード
【図１】
2018041305.tif 000003
【図２】
2018041305.tif 000004
【図３】
2018041305.tif 000005
【図４】
2018041305.tif 000006